(57)【要約】  操作部を含む操作パネル１４のパネル壁面１５ａの裏面に加振器３０が取り付けられ、加振器３０からパネル壁面１５ａへの振動伝達により音声を生じさせる荷物収納ボックスである。そして、パネル壁面１５ａにおいて加振器３０が取り付けられる取付部４０には、当該取付部４０の剛性を増大させるための剛性付与部が設けられている。
2019171657.tif 000002
【特許請求の範囲】
【請求項１】
操作部を含む操作パネルのパネル壁面の裏面に加振器が取り付けられ、前記加振器から前記パネル壁面への振動伝達により音声を生じさせる荷物収納ボックスであって、
前記パネル壁面において前記加振器が取り付けられる取付部には、当該取付部の剛性を増大させるための剛性付与部が設けられている、
荷物収納ボックス。
【請求項２】
前記剛性付与部は、前記パネル壁面の端縁部に形成された折り曲げ部を含む、請求項１に記載の荷物収納ボックス。
【請求項３】
前記剛性付与部は、前記パネル壁面の裏面に固定された振動伝達部材を含む、請求項１または２に記載の荷物収納ボックス。
【請求項４】
前記振動伝達部材と前記パネル壁面との間にシートを介在させている、請求項３に記載の荷物収納ボックス。
【発明の詳細な説明】
【技術分野】
【０００１】
本開示は、荷物収納ボックスに関する。
【背景技術】
【０００２】
従来、荷物の一時預け、発送、受け取り等のために荷物を収納する荷物収納ボックスが知られている。このような荷物収納ボックスは、通常、操作パネルを備えている。操作パネルには、例えば、タッチパネル式の表示部が設けられている。荷物の預け入れ又は受け取りを行う使用者は、この表示部に表示される操作手順にしたがってタッチパネルを操作する。これにより、荷物の預け入れや受け取りが可能になる。【０００３】
このような荷物収納ボックスにおいて、操作パネルに音声発生部を設け、表示部に表示される操作手順を音声案内することがある。このような音声案内が表示部の画面表示に付加されることで、使用者がタッチパネルでの操作を容易に行うことができる。【０００４】
例えば、特許文献１には、予め記憶された音声ガイダンスを発生させる音声応答機を備えたロッカー装置が記載されている。
【先行技術文献】
【特許文献】
【０００５】
【特許文献１】特開２０１３−１２６４９８号公報
【発明の概要】
【発明が解決しようとする課題】
【０００６】
上記のように荷物収納ボックスにおいて音声案内を行う場合、操作パネルにスピーカーを組み込むことが一般的である。しかし、この場合にはスピーカーを設置するために大きなスペースを操作パネルの裏面側に確保する必要があった。【０００７】
これに対し、操作パネルの裏面に加振器を配置し、この加振器によって操作パネルの壁面を振動させて音声ガイダンスを発生させる構成とすることが考えられる。この場合、加振器はスピーカーよりも小型であるため、設置スペースの確保が容易となる。しかし、加振器による振動が操作パネルを構成する壁面に広く伝達されると、音声ガイダンスに不要な振動音が付加されてしまい、音声ガイダンスが聞き取り難くなるおそれがある。【０００８】
本開示の目的は、加振器を用いて発生させる音声ガイダンスをクリアにして使用者に聞き取り易くできる荷物収納ボックスを提供することである。
【課題を解決するための手段】
【０００９】
本開示に係る荷物収納ボックスは、操作部を含む操作パネルのパネル壁面の裏面に加振器が取り付けられ、加振器からパネル壁面への振動伝達により音声を生じさせる荷物収納ボックスである。そして、パネル壁面において加振器が取り付けられる取付部には、取付部の剛性を増大させるための剛性付与部が設けられている。
【発明の効果】
【００１０】
本開示に係る荷物収納ボックスによれば、加振器を用いて発生させる音声ガイダンスをクリアにして使用者に聞き取り易くすることができる。
【図面の簡単な説明】
【００１１】
【図１】一実施形態である荷物収納ボックスの全体斜視図である。
【図２】操作パネルの裏面を示す図である。
【図３】加振器に音声信号が印加される構成を示す機能ブロック図である。
【図４】操作パネルの裏面に取り付けられた加振器を上下方向から見た図である。
【図５】図４中のＡ−Ａ線断面図である。
【図６】スタッドボルトを拡大して示す側面図である。
【図７】加振器の取付部の別の形態を示す図である。
【図８】図７に示す加振器の取付部を示す斜視図である。
【発明を実施するための形態】
【００１２】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１は、本開示における一実施形態である荷物収納ボックス１０の全体斜視図である。図２は、荷物収納ボックス１０の操作パネル１４の裏面を示す図である。図１及び図２（他図も同様）では、荷物収納ボックス１０の幅方向が矢印Ｘで示され、奥行き方向が矢印Ｙで示され、高さ方向（または上下方向）が矢印Ｚで示されており、これらの３方向は互いに直交する。
【００１４】
図１に示すように、荷物収納ボックス１０は、複数のロッカーボックス１２ａ，１２ｂ，１２ｃと、操作パネル１４とを備える。本実施形態では、荷物収納ボックス１０が、大型ロッカーボックス１２ａ、中型ロッカーボックス１２ｂ、および、小型ロッカーボックス１２ｃの３種類の大きさのロッカーボックスを含む例が示される。
【００１５】
本実施形態の荷物収納ボックス１０では、下段部分に大型ロッカーボックス１２ａが３個配置され、中段部分の幅方向両側に中型ロッカーボックス１２ｂが２段ずつで計４個配置され、上段部分には小型ロッカーボックス１２ｃが３列３段で計９個配置されている。
【００１６】
なお、荷物収納ボックス１０に含まれるロッカーボックスの種類および数は、設置スペースや用途等に応じて適宜に設定され得るものである。
【００１７】
各ロッカーボックス１２ａ，１２ｂ，１２ｃは、前面に開閉扉を有する。各開閉扉は図示しないロック機構をそれぞれ備える。各ロック機構は、操作パネル１４から送信される動作信号に応じてロック動作またはロック解除動作するように構成されている。
【００１８】
荷物収納ボックス１０の使用者は、荷物未収納で使用可能なロッカーボックスを選択して開閉扉を開いて荷物を収納することができる。また、使用者は、操作パネル１４において所定の操作を行うことでロック解除されたロッカーボックスの開閉扉を開いて、内部から荷物を取り出すことができる。
【００１９】
本実施形態の荷物収納ボックス１０では、中段部分の中央位置に操作パネル１４が配置されており、操作パネル１４の幅方向両側に中型ロッカーボックス１２ｂが配置されている。
【００２０】
図１および図２に示すように、操作パネル１４は、表示部２０、プリンタ２２、カメラ２４、決済端末２６、バーコードリーダ２８、及び、加振器３０がパネル扉１５に取り付けられて構成される。これらの構成のうち、タッチパネル式の表示部２０、決済端末２６、及び、バーコードリーダ２８は、荷物収納ボックス１０に対して荷物の預け入れ又は取り出しを行う使用者が操作する操作部に相当する。ただし、操作部としてこれら全てを備えるものに限定されるものではなく、少なくとも１つ（例えば、バーコードリーダ２８等）が省略されてもよい。
【００２１】
パネル扉１５は、例えば、金属板によって形成されている。パネル扉１５には、図２に示すように、幅方向一端部において２つのヒンジ１６が上端近傍と下端近傍とに取り付けられている。これらのヒンジ１６は、荷物収納ボックス１０のフレーム部１８に固定されている。これにより、操作パネル１４は、ヒンジ１６によって開閉可能に構成されたパネル扉１５を含んでいる。
【００２２】
また、操作パネル１４の裏面には２つのロックレバー１９が回動可能に設けられている。これらのロックレバー１９は、荷物収納ボックス１０の正面側（前面側）から鍵を挿入することによって回動させることができる。ロックレバー１９がフレーム部１８に設けられた図示しない係合部から外れた位置に回動されると、操作パネル１４を構成するパネル扉１５を開放することができる。他方、ロックレバー１９がフレーム部１８に設けられた係合部に係合した位置に回動されると、操作パネル１４を構成するパネル扉１５が閉じた状態でロックされる。なお、操作パネル１４のパネル扉１５を開くための鍵は、荷物収納ボックス１０を管理する管理者が所持している。
【００２３】
表示部２０は、操作パネル１４において上下方向および幅方向のほぼ中央位置に設置されている。表示部２０には、例えば、タッチパネル式の液晶表示装置を好適に用いることができる。表示部２０には、使用者に荷物収納ボックス１０の使用方法の手順を画像や文字で表示することができる。また、使用者は、表示部２０に表示されるアイコン等をタッチ操作することで、例えば、一時預け入れ、配送、受け取り等の情報を入力することができる。
【００２４】
プリンタ２２は、使用者に対して受領証や領収証などの紙片をプリント出力する機能を有する。この紙片は、荷物収納ボックス１０の利用日時、利用目的（例えば、一時預け入れ、配送等）、利用代金などが印刷されたものとすることができる。また、荷物の一時預け入れ目的で使用する使用者に対する紙片には、荷物を預け入れたロッカーボックス特定情報や預け入れ日時情報等を表すバーコード情報を印刷してもよい。この紙片に印刷されたバーコードを後述するバーコードリーダで読み取ることで、利用したロッカーボックスサイズや利用時間（または利用期間）などに基づいて利用代金を計算することができる。
【００２５】
カメラ２４は、防犯上の観点から操作パネル１４を操作する使用者の映像を撮影する機能を有する。撮影した映像は、記憶部において所定期間だけ記憶しておくことが好ましい。この記憶部は、後述する荷物収納ボックス１０の内部または外部に配置された制御部に設けることができる。カメラ２４は、表示部２０におけるタッチ操作を検出したときから撮影動作を開始し、表示部２０におけるタッチ操作がなされない状態が所定時間継続した後に撮影停止するように構成することができる。
【００２６】
決済端末２６は、使用者が電子決済可能なＩＣカードを接触させることで、荷物配送料金、荷物の購入代金、荷物収納ボックス１０の利用代金等を支払うことができる機能を有する。読み取り可能なＩＣカードとしては、例えば、電車の運賃支払いに利用可能なＩＣカードを利用できる。
【００２７】
バーコードリーダ２８は、例えば、プリンタ２２によって印刷された紙片のバーコード等を読み取る機能を有する。バーコードリーダ２８は、前面に挿入開口部を有しており、この開口部に紙片等を挿入することによって、バーコードを読み取ることができる。荷物収納ボックス１０の利用態様が一時預け入れの場合、バーコードリーダ２８で読み取った情報から荷物の預け入れ時間や利用代金を計算し、表示部２０に表示することができる。使用者がＩＣカードを用いて決済端末２６で電子決済して利用代金を支払うことで、荷物を預け入れたロッカーボックスの開閉扉がロック解除され、荷物を取り出すことが可能になる。
【００２８】
また、バーコードは紙片に印刷されたものに限らず、使用者の携帯電話に表示されたバーコードであってもよい。例えば、自分宛に送られた荷物を荷物収納ボックス１０で受け取る場合、配送業者から使用者の携帯電話に送信されたメールに含まれるバーコードを画面に表示させた状態でバーコードリーダ２８の開口部に携帯電話を挿入する。これにより、バーコードリーダ２８によって読み取られた情報が荷受人情報と一致する場合には、使用者宛の荷物が収納されたロッカーボックスの開閉扉がロック解除される。これにより、使用者は、自分宛の荷物を受け取ることができる。
【００２９】
操作パネル１４において、加振器３０は、パネル扉１５の裏面に設置されている。加振器３０は、パネル扉１５のパネル壁面に振動を伝達し、これにより操作パネル１４の表面側（または前方側）に音声ガイダンスを発生させる機能を有する。本実施形態では、加振器３０は、パネル扉１５の裏面であって表示部２０の横に配置されている。また、加振器３０は、パネル扉１５を構成するパネル壁面の端縁部近傍の位置に配置されているのが好ましい。
【００３０】
図３は、加振器３０に音声信号が印加される構成を示す機能ブロック図である。加振器３０には、アンプ３２を介して制御部３４に電気的に接続されている。加振器３０およびアンプ３２には、公知の如何なる構成のものが用いられてもよい。
【００３１】
制御部３４は、例えば、ＣＰＵ（Ｃｅｎｔｒａｌ  Ｐｒｏｃｅｓｓｉｎｇ  Ｕｎｉｔ）３４ａ、および、記憶部３４ｂを含むマイクロコンピュータによって好適に構成される。記憶部３４ｂには、荷物収納ボックス１０を管理するためのプログラム等が記憶されている。制御部３４は、荷物収納ボックス１０の操作パネル１４の裏面側に設けられてもよいし、あるいは、荷物収納ボックス１０の外部に設けられてインターネット等の通信回線を介して接続されてもよい。
【００３２】
制御部３４は、図示しない信号線を介して、表示部２０、プリンタ２２、決済端末２６、および、バーコードリーダ２８にも電気的に接続されている。制御部３４は、使用者の操作手順を案内する画像や文字を表示する。また、記憶部３４ｂには、操作手順を案内する複数の音声ガイダンスデータが記憶されており、表示部２０に表示される操作手順に応じた音声ガイダンスデータがＣＰＵ３４ａによって選択され、アンプ３２を介して加振器３０に出力される。これにより、加振器３０が振動することで、その振動がパネル扉１５構成するパネル壁面１５ａに伝達される。その結果、パネル壁面１５ａが振動板として機能し、音声ガイダンスが操作パネル１４の前方に放射されることになる。
【００３３】
図４は、操作パネル１４の裏面に取り付けられた加振器３０を上下方向から見た図である。図５は、図４中のＡ−Ａ線断面図である。また、図６は、スタッドボルト４４を拡大して示す側面図である。
【００３４】
図４および図５に示すように、加振器３０は、パネル扉１５を構成するパネル壁面１５ａの裏面に設けた取付部４０に取り付けられている。取付部４０は、加振器３０が取り付けられる振動伝達板（振動伝達部材）４２と、振動伝達板４２をパネル壁面１５ａの裏面に固定するスタッドボルト４４およびナット４６とによって構成される。また、振動伝達板４２とパネル壁面１５ａとの間にはシート４８が設けられてもよい。シート４８を設けた場合には、シート４８もまた取付部４０を構成する部材である。本実施形態では、取付部４０に含まれる振動伝達板４２が、加振器３０が取り付けられているパネル壁面１５ａの部分の剛性を増大させる剛性付与部を構成する。
【００３５】
振動伝達板４２は、例えば、金属板によって形成される。振動伝達板４２は、パネル壁面１５ａよりも板厚が厚い金属板で形成されるのが好ましい。このように板厚が厚い金属板で振動伝達板４２を形成することで、パネル壁面１５ａにおいて振動伝達板４２が固定された部分の剛性が増大する。その結果、加振器３０から振動伝達板４２を介して振動がパネル壁面１５ａに伝達されるとき、パネル壁面１５ａが振動する領域の面積を制限することができる。これにより、パネル壁面１５ａが振動することにより発生される音声ガイダンスに、不要な振動音が重畳されるのを防止することができる。よって、音声ガイダンスがクリアになり、使用者に聞き取り易くすることができる。
【００３６】
ここで、不要な振動音とは、加振器３０が取り付けられている取付部４０のパネル領域だけでなく、プリンタ２２やカメラ２４などが取り付けられている他のパネル領域までも含む広いパネル領域が振動することによって生じる振動音であり、ビビリ音とも呼ばれる。
【００３７】
加振器３０は、例えば、皿ネジ５０（図８参照）によって振動伝達板４２に固定されている。振動伝達板４２は、パネル壁面１５ａの裏面に立設されたスタッドボルト４４に螺合されたナット４６によって固定されている。
【００３８】
詳しくは、図５に示すように、パネル壁面１５ａの裏面には、２本のスタッドボルト４４が立設されている。スタッドボルト４４は、図６に示すように、軸状のネジ部４４ａと、ネジ部４４ａの端部に設けられたフランジ部４４ｂと、フランジ部４４ｂの端面中央に突設された突起４４ｃとを有する。スタッドボルト４４は、パネル壁面１５ａに形成された凹部に突起４４ｃを嵌合させた状態で位置決めされ、フランジ部４４ｂを複数個所でパネル壁面１５ａに溶接して固定されている。
【００３９】
振動伝達板４２は、上下方向に延在する長尺状の金属板であり、上端部と下端部に貫通孔がそれぞれ形成されている。これらの貫通孔は、スタッドボルト４４のフランジ部４４ｂよりも大径であるとともに、フランジ部４４ｂの周囲に突出して形成される可能性がある溶接肉盛り部と干渉しない程度の直径に形成されるのが好ましい。このような大きさに形成されることで、振動伝達板４２をパネル壁面１５ａに密接させた状態で固定することができ、加振器３０からの振動伝達を効率よく行うことができる。
【００４０】
上記のようにパネル壁面１５ａに立設された２本のスタッドボルト４４を上端部および下端部の貫通孔に挿通させて、加振器３０が固定されている振動伝達板４２を組み付ける
。そして、スタットボルト４４にナット４６を螺合させて締め付ける。これにより、加振器３０が振動伝達板４２を介してパネル壁面１５ａに取り付けられる。
【００４１】
このとき、振動伝達板４２とパネル壁面１５ａとの間にシート４８を介在させてもよい。シート４８は、例えば、不織布、粘着テープ等によって構成される。シート４８の厚さは、０．１〜０．５ｍｍの範囲であることが好ましい。０．１ｍｍより薄いと振動伝達板４２やパネル壁面１５ａの表面凹凸を解消しつつ両者を密接させにくくなり、他方、０．５ｍｍより厚くなると加振器３０の振動がシート４８で吸収されてしまいパネル壁面１５ａへの振動伝達の効率が低下するからである。
【００４２】
再び図４を参照すると、加振器３０は、パネル扉１５の幅方向端縁部１５ｂの近傍に配置されている。本実施形態では、パネル扉１５の端縁部１５ｂには、折り曲げ部１５ｃが形成されている。この折り曲げ部１５ｃもまた、上述した振動伝達板４２と同様に、加振器３０が取り付けられているパネル壁面１５ａの部分の剛性を増大させる剛性付与部を構成する。
【００４３】
本実施形態では、折り曲げ部１５ｃは、パネル壁面１５ａからほぼ直角に奥行き方向Ｙに沿って曲がった奥行き方向壁部１５ｃ１と、奥行き方向壁部１５ｃ１の端部からさらにほぼ直角に幅方向Ｘに沿って曲がった幅方向壁部１５ｃ２とを含む。このようにパネル壁面１５ａの端縁部１５ｂに折り曲げ部１５ｃが形成されていることで、端縁部１５ｂ近傍のパネル壁面１５ａの剛性が増大する。したがって、加振器３０から振動伝達板４２を介して振動がパネル壁面１５ａに伝達されるとき、パネル壁面１５ａが振動する領域の面積を制限することがきる。その結果、パネル壁面１５ａの振幅を小さくすることができる。これにより、パネル壁面１５ａが振動することにより発生される音声ガイダンスに、不要な振動音が重畳されるのを防止することができる。よって、音声ガイダンスがクリアになり、使用者に聞き取り易くすることができる。
【００４４】
なお、本実施形態では、パネル壁面１５ａの端縁部１５ｂに形成された折り曲げ部１５ｃが奥行き方向壁部１５ｃ１と幅方向壁部１５ｃ２とを含む例について説明したが、これ限定されない。折り曲げ部は、奥行き方向壁部だけで構成されてもよい。また、折り曲げ部の曲がり角度はほぼ直角に限定されるものではなく、直角以外の鋭角または鈍角に設定されてもよい。
【００４５】
上述したように本実施形態の荷物収納ボックス１０は、操作部を含む操作パネル１４のパネル壁面１５ａの裏面に加振器３０が取り付けられ、加振器３０からパネル壁面１５ａへの振動伝達により音声を生じさせる荷物収納ボックスである。そして、パネル壁面１５ａにおいて加振器３０が取り付けられる取付部４０には、当該取付部４０の剛性を増大させるための剛性付与部が設けられている。この場合、剛性付与部は、パネル壁面１５ａの端縁部１５ｂに形成された折り曲げ部１５ｃを含んでもよい。また、剛性付与部は、パネル壁面１５ａの裏面に固定された振動伝達部材を含んでもよい。このような剛性付与部を設けたことで、パネル壁面１５ａが振動する領域の面積を制限することがき、その結果、パネル壁面１５ａの振幅を小さくすることができる。これにより、パネル壁面１５ａが振動することにより発生される音声ガイダンスに、不要な振動音が重畳されるのを防止することができる。よって、音声ガイダンスがクリアになり、使用者に聞き取り易くすることができる。
【００４６】
また、本実施形態の荷物収納ボックス１０では、振動伝達板４２とパネル壁面１５ａとの間にシート４８を介在させている。これにより、振動伝達板４２とパネル壁面１５ａとを密接状態に配置することができ、両者間の振動伝達を効率よく行うことができる。
【００４７】
図７は、加振器３０の取付部４０の別の形態を示す図である。図８は、図７に示す加振器３０の取付部４０を示す斜視図である。
【００４８】
図７に示す例では、加振器３０のパネル壁面１５ａへの取付部４０は、金属板を曲げ加工して形成された振動伝達部材５２によって構成されている。振動伝達部材５２は、パネル壁面１５ａよりも厚い板厚を有する金属板で形成されるのが好ましい。
【００４９】
振動伝達部材５２は、加振器が固定される本体部５２ａと、本体部５２ａの長手方向両端部に折り曲げ形成された端面Ｌ字状の２つの脚部５２ｂとを有する。本体部５２ａは上下方向に延在する長尺状の部分であり、その長手方向中央部分に加振器３０が皿ネジ５０によって固定されている。また、振動伝達部材５２は、２つの脚部５２ｂが例えば、溶接によってパネル壁面１５ａの裏面に固定されている。
【００５０】
この場合、取付部４０において振動伝達部材５２の２つの脚部５２ｂがパネル壁面１５ａに溶接固定されていることで、取付部４０においてパネル壁面１５ａの剛性が増大する。これにより、加振器３０から振動伝達部材５２を介してパネル壁面１５ａに振動が伝達されるとき、パネル壁面１５ａが振動する領域の面積を制限することができる。その結果、パネル壁面１５ａの振幅を小さくすることができる。したがって、パネル壁面１５ａが振動することにより発生される音声ガイダンスに、不要な振動音が重畳されるのを防止することができる。よって、音声ガイダンスがクリアになり、使用者に聞き取り易くすることができる。
【００５１】
なお、本開示に係る荷物収納ボックスは、上述した実施形態およびその変形例に限定されるものではなく、本願の特許請求の範囲に記載された事項の範囲内において種々の変更や改良が可能であることは勿論である。
【符号の説明】
【００５２】
１０  荷物収納ボックス、１２ａ  大型ロッカーボックス、１２ｂ  中型ロッカーボックス、１２ｃ  小型ロッカーボックス、１４  操作パネル、１５  パネル扉、１５ａ  パネル壁面、１５ｂ  端縁部、１５ｃ  折り曲げ部、１５ｃ１  奥行き方向壁部、１５ｃ２  幅方向壁部、１６  ヒンジ、１８  フレーム部、１９  ロックレバー、２０  表示部、２２  プリンタ、２４  カメラ、２６  決済端末、２８  バーコードリーダ、３０  加振器、３２  アンプ、３４  制御部、３４ａ  ＣＰＵ、３４ｂ  記憶部、４０  取付部、４２  振動伝達板（振動伝達部材）、４４  スタッドボルト、４４ａ  ネジ部、４４ｂ  フランジ部、４４ｃ  突起、４６  ナット、４８  シート、５０  皿ネジ、５２  振動伝達部材、５２ａ  本体部、５２ｂ  脚部。
【図１】
2019171657.tif 000003
【図２】
2019171657.tif 000004
【図３】
2019171657.tif 000005
【図４】
2019171657.tif 000006
【図５】
2019171657.tif 000007
【図６】
2019171657.tif 000008
【図７】
2019171657.tif 000009
【図８】
2019171657.tif 000010
【国際調査報告】
2019171657.tif 000011
2019171657.tif 000012
2019171657.tif 000013
2019171657.tif 000014
2019171657.tif 000015
2019171657.tif 000016